(57)【要約】【課題】中舟をスライドさせなくても内容物を取り出すことができるスライド式紙箱を提案するもの。【解決手段】スリーブ１０と、スリーブの内壁を摺動する中舟２０とからなり、スリーブは、底面板１１からそれぞれ罫線を介して側面板１２、天面板１３、側面板１４、糊代１５を順次連設し、糊代は底面板の内面側に接着されており、中舟２０は、底面板２１の側面にそれぞれ罫線を介して連設された側面板２２a、２２bを有し、中舟の前方には、底面板からそれぞれ罫線を介して順次連設された前壁外壁２４a、前壁天面25a、前壁内壁２６a、糊代２７aを有し、前壁外壁、前壁天面、前壁内壁はリンク機構を形成し、一体となって外側に倒れることにより取出口が開口し、取出口を閉じた時、前壁内壁の左右側端部に連設した係止突起２９a、２９bが、側面板に設けた凸部３０a、３０bの後端縁にそれぞれ係止するようにしたことを特徴とする。【選択図】図１
2014136590.tif 000002
【特許請求の範囲】
【請求項１】
スリーブ（１０）と、該スリーブの内壁を摺動する中舟（２０）とからなるスライド式紙箱であって、前記スリーブは、底面板（１１）からそれぞれ罫線を介して側面板（１２）、天面板（１３）、側面板（１４）、糊代（１５）を順次連設し、該糊代（１５）は底面板（１１）の内面側に接着されており、前記中舟（２０）は、底面板（２１）の側面にそれぞれ罫線を介して連設された側面板（２２ａ、２２ｂ）を有し、中舟（２０）の前方には、底面板（２１）からそれぞれ罫線を介して順次連設された前壁外壁（２４ａ）、前壁天面（２５ａ）、前壁内壁（２６ａ）、糊代（２７ａ）を有し、該糊代は、底面板（２１）に接着されており、前記前壁外壁（２４ａ）、前壁天面（２５ａ）、前壁内壁（２６ａ）はリンク機構を形成し、一体となって外側に倒れることにより取出口が開口し、取出口を閉じた時、前記前壁内壁（２６ａ）の左右側端部に連設した係止突起（２９ａ、２９ｂ）が、側面板（２２ａ、２２ｂ）に設けた凸部（３０ａ、３０ｂ）の後端縁にそれぞれ係止するようにしたことを特徴とするスライド式紙箱。
【請求項２】
前記スリーブの糊代（１５）は、底面板（１１）の内面側に部分的に接着されており、糊代（１５）は二つの切込（１７）、（１８）によって区画された係止片（１６）を有し、該係止片（１６）は底面板（１１）に接着されておらず、前記中舟（２０）をスライドさせて紙箱を開いた時に、中舟（２０）の後壁外壁（２４ｂ）の下部に連設した係止突起（３１ｂ）が前記係止片（１６）に係止するようにしたことを特徴とする請求項１に記載のスライド式紙箱。
【請求項３】
前記スリーブの糊代（１５）は、切込（１７）の角部に設けた折れ目線（１７ａ）によって区画された補助係止片（１６ａ）を有し、該補助係止片（１６ａ）は底面板（１１）に接着されておらず、前記係止突起（３１ｂ）が前記係止片（１６）と補助係止片（１６ａ）に係止するようにしたことを特徴とする請求項２に記載のスライド式紙箱。
【請求項４】
前記凸部（３０ａ、３０ｂ）は、それぞれ１本以上の横長の凸条から構成されることを特徴とする請求項１〜３のいずれか１項に記載のスライド式紙箱。
【発明の詳細な説明】
【技術分野】
【０００１】
本発明はスライド式の紙箱に関し、特に２通りの開閉方法が選択でき、開閉操作性の良いスライド式紙箱に関する。
【背景技術】
【０００２】
中舟または紙箱本体が外筒の内部を摺動する構造の紙箱は古くから知られている。このようなスライド式の紙箱の例としては、特許文献１に記載された音出し容器がある。
【０００３】
特許文献１に記載された音出し容器は、鞘状体と該鞘状体に対する抜差し運動自在の容器体とから構成され、いずれか一方に櫛歯状連続凹凸面を形成し、他方にこれに係合する突起を形成し、抜差しにより音響を発するようにした容器である。
【０００４】
スライド式紙箱における問題点として、中舟をスライドさせないと内容物が取り出せないため、開閉が面倒であるという問題があった。またこの時、中舟が滑りすぎて、外筒から不用意に抜け落ちてしまうことがあるという問題もあった。特許文献１に記載された音出し容器は、容器体の抜差し時に、櫛歯状連続凹凸面と突起とが係合して音を発するようになっており、これがブレーキの働きをするため、後者の中舟の滑りすぎの問題は軽減されているが、前者の問題については、解決されていない。
【先行技術文献】
【特許文献】
【０００５】
【特許文献１】実開昭５２−２５１３０号公報
【発明の概要】
【発明が解決しようとする課題】
【０００６】
本発明の解決しようとする課題は、中舟をスライドさせなくても内容物を取り出すことができるスライド式紙箱を提案するものである。またさらに、中舟が外筒から不用意に抜け落ちることがなく、所定の位置で停止し、しかも心地よい停止感をもたらすスライド式紙箱を提案するものである。
【課題を解決するための手段】
【０００７】
上記の課題を解決するための手段として、請求項１に記載の発明は、スリーブ（１０）と、該スリーブの内壁を摺動する中舟（２０）とからなるスライド式紙箱であって、前記スリーブは、底面板（１１）からそれぞれ罫線を介して側面板（１２）、天面板（１３）、側面板（１４）、糊代（１５）を順次連設し、該糊代（１５）は底面板（１１）の内面側に接着されており、前記中舟（２０）は、底面板（２１）の側面にそれぞれ罫線を介して連設された側面板（２２ａ、２２ｂ）を有し、中舟（２０）の前方には、底面板（２１）からそれぞれ罫線を介して順次連設された前壁外壁（２４ａ）、前壁天面（２５ａ）、前壁内壁（２６ａ）、糊代（２７ａ）を有し、該糊代は、底面板（２１）に接着されており、前記前壁外壁（２４ａ）、前壁天面（２５ａ）、前壁内壁（２６ａ）はリンク機構を形成し、一体となって外側に倒れることにより取出口が開口し、取出口を閉じた時、前記前壁内壁（２６ａ）の左右側端部に連設した係止突起（２９ａ、２９ｂ）が、側面板（２２ａ、２２ｂ）に設けた凸部（３０ａ、３０ｂ）の後端縁にそれぞれ係止するようにしたことを特徴とするスライド式紙箱である。
【０００８】
本発明に係るスライド式紙箱は、中舟（２０）の前壁部分がリンク機構を形成し、外側に倒れるように開くため、中舟をスライドさせなくても内容物を取り出すことができる。
【０００９】
また、請求項２に記載の発明は、前記スリーブの糊代（１５）が、底面板（１１）の内面側に部分的に接着されており、糊代（１５）は二つの切込（１７）、（１８）によって区画された係止片（１６）を有し、該係止片（１６）は底面板（１１）に接着されておらず、前記中舟（２０）をスライドさせて紙箱を開いた時に、中舟（２０）の後壁外壁（２４ｂ）の下部に連設した係止突起（３１ｂ）が前記係止片（１６）に係止するようにしたことを特徴とする請求項１に記載のスライド式紙箱である。
【００１０】
請求項２に記載の発明によれば、中舟の係止突起（３１ｂ）がスリーブの糊代に設けた係止片（１６）に係止するため、中舟が滑りすぎて抜け落ちてしまうことが抑制される。
【００１１】
また、請求項３に記載の発明は、前記スリーブの糊代（１５）が、切込（１７）の角部に設けた折れ目線（１７ａ）によって区画された補助係止片（１６ａ）を有し、該補助係止片（１６ａ）は底面板（１１）に接着されておらず、前記係止突起（３１ｂ）が前記係止片（１６）と補助係止片（１６ａ）に係止するようにしたことを特徴とする請求項２に記載のスライド式紙箱である。
【００１２】
また、請求項４に記載の発明は、前記凸部（３０ａ、３０ｂ）が、それぞれ１本以上の横長の凸条から構成されることを特徴とする請求項１〜３のいずれか１項に記載のスライド式紙箱である。
【発明の効果】
【００１３】
本発明に係るスライド式紙箱は、中舟（２０）の前方に、底面板（２１）からそれぞれ罫線を介して順次連設された前壁外壁（２４ａ）、前壁天面（２５ａ）、前壁内壁（２６ａ）、糊代（２７ａ）を有し、該糊代は、底面板（２１）に接着されており、前記前壁外壁（２４ａ）、前壁天面（２５ａ）、前壁内壁（２６ａ）がリンク機構を形成し、一体となって外側に倒れることにより取出口が開口するようにしたので、中舟をスライドさせなくても内容物を取り出すことができる。このため内容物を取り出すのに、中舟をスライドさせるかさせないかの２通りの開口方法を選択することができる。
【００１４】
また、取出口を閉じた時、前記前壁内壁（２６ａ）の左右側端部に連設した係止突起（２９ａ、２９ｂ）が、側面板（２２ａ、２２ｂ）に設けた凸部（３０ａ、３０ｂ）の後端縁にそれぞれ係止するようにしたので、取出口が不用意に開くことがない。
【００１５】
また、請求項２に記載の発明においては、前記スリーブの糊代（１５）が、底面板（１１）の内面側に部分的に接着されており、糊代（１５）は二つの切込（１７）、（１８）によって区画された係止片（１６）を有し、該係止片（１６）は底面板（１１）に接着されておらず、前記中舟（２０）をスライドさせて紙箱を開いた時に、中舟（２０）の後壁外壁（２４ｂ）の下部に連設した係止突起（３１ｂ）が前記係止片（１６）に係止するようにしたので、中舟が滑りすぎて不用意に抜け落ちてしまうことがない。
【００１６】
また箱の外側からは係止片が見えないため、箱全体のデザインをすっきりしたものとすることが可能となった。
【００１７】
また係止片（１６）は、二つの切込（１７）、（１８）によって区画され、底面板（１１）に接着されていないため、底面板よりわずかに浮き上がり、このため係止効果が高くなる。また糊代（１５）上にあるため、糊代の厚さ分、押しつける力が強まる効果もある。
【００１８】
また、中舟に設けた係止突起（３１ｂ）が、係止片（１６）に係止する際、直前に一旦
切込（１８）に落ち込み、クリック感を生じるため、心地よい停止感が得られる。
【００１９】
請求項３に記載の発明によれば、補助係止片（１６ａ）は、切込（１７）の角部に設けた折れ目線（１７ａ）によって区画され、係止片（１６）と同様に底面板（１１）に接着されておらず、また折れ目線（１７ａ）を折ることによって底面板より高く浮き上がるため、係止効果がさらに高くなる。
【００２０】
また、請求項４に記載の発明のように、凸部（３０ａ、３０ｂ）が、それぞれ１本以上の横長の凸条から構成されるようにした場合には、特別のエンボス装置を用いなくても、通常の押し罫線を配置することで、目的が達成されるので、容易に製造することができる。
【図面の簡単な説明】
【００２１】
【図１】図１は、本発明に係るスライド式紙箱の一実施態様を示した斜視図である。
【図２】図２は、図１に示したスライド式紙箱のスリーブの構造を示した斜視図である。
【図３】図３は、図１に示したスライド式紙箱の中舟の構造を示した斜視図である。
【図４】図４は、図３に示した中舟のブランクを示した平面模式図である。
【図５】図５は、本発明に係るスライド式紙箱の、スリーブの他の実施態様を示した斜視図である。
【図６】図６は、図５に示したスリーブのブランクを示した平面模式図である。
【図７】図７は、本発明に係るスライド式紙箱の、スリーブの他の実施態様を示した斜視図である。
【図８】図８は、図７に示したスリーブのブランクを示した平面模式図である。
【図９】図９は、本発明に係るスライド式紙箱の、中舟の他の実施態様を示した斜視図である。
【図１０】図１０（１）、（２）は、それぞれ本発明に係るスライド式紙箱の、中舟の他の実施態様を示した部分斜視図である。
【発明を実施するための形態】
【００２２】
以下、図面を参照しながら、本発明に係るスライド式紙箱（１）について詳細に説明する。図１は、本発明に係るスライド式紙箱（１）の一実施態様を示した斜視図である。
本発明に係るスライド式紙箱（１）は、スリーブ（１０）と、スリーブ（１０）の内壁を摺動する中舟（２０）とからなるスライド式紙箱である。
【００２３】
図２は、図１に示したスライド式紙箱（１）のスリーブ（１０）の構造を示した斜視図である。スリーブ（１０）は、底面板（１１）からそれぞれ罫線（ａ、ｂ、ｃ、ｄ）を介して側面板（１２）、天面板（１３）、側面板（１４）、糊代（１５）を順次連設し、糊代（１５）は底面板（１１）の内面側に接着されている。
【００２４】
図３は、図１に示したスライド式紙箱（１）の中舟（２０）の構造を示した斜視図である。また図４は、図３に示した中舟のブランク（２０Ｂ）を示した平面模式図である。な
お図４のブランク図は、板紙の表面側（通常は中舟の外側）から見た状態を示している。点線は山折罫線を示し、一点鎖線は谷折罫線を示している。
【００２５】
この実施態様においては、底面板（２１）から罫線（ｅ）、（ｆ）を介して側面板（２２ａ）、（２２ｂ）が連設されており、側面板（２２ａ）、（２２ｂ）には、それぞれ後壁用フラップ（２３ａ）、（２３ｂ）が罫線（ｏ）、（ｐ）を介して連設されている。また後壁天面用フラップ（２８ａ）、（２８ｂ）がそれぞれ罫線（ｑ）、（ｒ）を介して連設されている。
【００２６】
中舟（２０）の前方は、底面板（２１）から罫線（ｇ）、（ｈ）、（ｉ）、（ｊ）を介して、前壁外壁（２４ａ）、前壁天面（２５ａ）、前壁内壁（２６ａ）、糊代（２７ａ）が順次連設されている。
【００２７】
中舟（２０）の後方は、底面板（２１）から罫線（ｋ）、（ｌ）、（ｍ）、（ｎ）を介して、後壁外壁（２４ｂ）、後壁天面（２５ｂ）、後壁内壁（２６ｂ）、糊代（２７ｂ）が順次連設されている。
【００２８】
このように、中舟（２０）の前後の壁は２重壁になっており、後方の壁は糊代（２７ｂ）と後壁用フラップ（２３ａ）、（２３ｂ）、および後壁天面用フラップ（２８ａ）、（２８ｂ）によって動かないように固定されている。
【００２９】
これに対して中舟（２０）の前方の壁は、側面板（２２ａ）、（２２ｂ）には固定されておらず、糊代（２７ａ）のみが底面板（２１）に接着されている。このため、前壁外壁（２４ａ）、前壁天面（２５ａ）、前壁内壁（２６ａ）の３辺は、リンク機構を形成し、一体となって外側に倒れるように動くことができる。
【００３０】
このため、中舟（２０）をスライドさせることなく、紙箱を開口することができる。またリンク機構によってスムーズに開閉するため、開閉する時の感触が非常に良好である。なお、このような開口動作を円滑にするため、スリーブ（１０）に、開口用切込（１９）が設けられており、指先が掛かり易くなっている。
【００３１】
本発明に係るスライド式紙箱（１）は、このような開閉機構を採用したので、中舟（２０）をスライドして開く開口方法と、中舟（２０）をスライドしないで前壁部分を倒して開口する方法との２通りの開口方法を自由に選択することができる。
【００３２】
このことは、例えば内容物として、数種類のキャンデーを収納した場合を想定すると、前壁を開いて取り出す場合には、振出箱のように何が出てくるか分からないという楽しさがあり、中舟をスライドさせて取り出す場合には、目的とするものを選んで取り出すことができることになる。
【００３３】
なおこの例では、可動部分の罫線が円滑に折れるように、罫線（ｇ）、（ｈ）、（ｉ）、（ｊ）は、切目を含むリード罫線としている。また罫線（ｎ）もきちっと折れるように、リード罫線としている。
【００３４】
前壁内壁（２６ａ）の左右側端部には、係止突起（２９ａ）、（２９ｂ）が設けられている。係止突起（２９ａ）、（２９ｂ）は、前壁が閉じられた時に、側面板（２２ａ）、（２２ｂ）に設けられた凸部（３０ａ）、（３０ｂ）の後端縁にそれぞれ係止する。
【００３５】
使用する板紙に表裏面がある場合、通常は表面側が中舟（２０）の外面となるので、表面側から見た図である図４では、凸部（３０ａ）、（３０ｂ）は、上から見て凹状となっ
ている。
【００３６】
図４の例では、凸部は正方形状の型押しによるエンボスであるが、横長の凸条でもよく、形状や本数は任意である。
【００３７】
図５は、本発明に係るスライド式紙箱（１）の、スリーブ（１０）の他の実施態様を示した斜視図である。図６は、図５に示したスリーブのブランク（１０Ｂ）を示した平面模式図である。
【００３８】
図５、図６に示した実施態様においては、糊代（１５）が二つの切込（１７）、（１８）によって区画された係止片（１６）を有し、係止片（１６）は底面板（１１）に接着されていないため、底面板よりも僅かに浮いた状態にある。
【００３９】
中舟（２０）をスライドさせて紙箱を開いた時に、中舟（２０）の後壁外壁（２４ｂ）の下部に連設した係止突起（３１ｂ）が係止片（１６）に係止するようになっている。この時、係止突起（３１ｂ）は、糊代（１５）上を滑って行き、切込（１８）に落ち込んだ後に係止片（１６）に係止する。このため、クリック感を生じ、心地よい停止感が得られる。また係止片（１６）が底面板（１１）よりも僅かに浮いているため、確実に係止する。
【００４０】
図７は、本発明に係るスライド式紙箱（１）の、スリーブ（１０）の他の実施態様を示した斜視図である。図８は、図７に示したスリーブのブランク（１０Ｂ）を示した平面模式図である。
【００４１】
図７、図８に示した実施態様においては、スリーブの糊代（１５）は、切込（１７）の角部に設けた折れ目線（１７ａ）によって区画された補助係止片（１６ａ）を有し、補助係止片（１６ａ）は底面板（１１）に接着されておらず、前記係止突起（３１ｂ）が係止片（１６）と伴に、補助係止片（１６ａ）にも係止するようにしたことを特徴とする。
【００４２】
補助係止片（１６ａ）は、折れ目線（１７ａ）を折ることによって、わずかでも立ち上がり、底面板（１１）よりも浮き上がるため、係止突起（３１ｂ）が、より確実に係止するようになる。
【００４３】
折れ目線（１７ａ）は、より確実に折れるように、図８に示したように、一部に切目線を有するリード罫線としてもよい。
【００４４】
中舟（２０）の前後の壁である前壁外壁（２４ａ）および後壁外壁（２４ｂ）には、それぞれ係止突起（３１ａ）、（３１ｂ）が連設されている。係止突起（３１ａ）、（３１ｂ）は、それぞれ罫線（ｇ）、（ｋ）上に設けられた切込によって形成されている。
【００４５】
係止突起（３１ａ）は、一旦引き出した中舟（２０）を押し込む時に、スリーブ（１０）の底面板（１１）の縁に当って中舟を定位置に停止させる働きをする。
【００４６】
係止突起（３１ｂ）は、スリーブ（１０）の係止片（１６）に係止する。このため、係止突起（３１ｂ）は、罫線（ｋ）の中央ではなく、スリーブ（１０）の糊代（１５）側に寄った位置に設けられている。
【００４７】
図９は、本発明に係るスライド式紙箱の、中舟の他の実施態様を示した斜視図である。図９に示した例では、凸部（３０ａ）、（３０ｂ）は、それぞれ５本の横長の凸条である。
【００４８】
図１０（１）、（２）は、それぞれ本発明に係るスライド式紙箱の、中舟の他の実施態様を示した部分斜視図である。図１０（１）に示した例では、凸部（３０ａ）、（３０ｂ）が、それぞれ３本の横長の凸条から構成されている。また、図１０（２）に示した例では、凸部（３０ａ）、（３０ｂ）が、それぞれ２本の横長の凸条から構成されている。
【００４９】
このように、凸部を横長の凸条とすることにより、ブランクの製造に当って、特別なエンボス装置を設けなくても、通常の押し罫線を付加するだけで製造することが可能となるため、製造が容易となる。
【００５０】
本実施態様においては、中舟（２０）の前後の壁は二重壁であるが、後の壁は通常の１枚壁でもよい。また側面板（２２ａ）、（２２ｂ）は１枚壁であるが、二重壁構造としてもよい。二重壁とすることにより、中舟の剛性が高まる。
【００５１】
本発明に係るスライド式紙箱（１）を構成する材料としては、一般的なマニラボール紙、白ボール紙、チップボール紙等の坪量４００〜８５０ｇ／ｍ２程度の板紙や、両面カード紙、裏白ボール紙、アイボリー紙等の坪量１６０〜６００ｇ／ｍ２程度の板紙が使用できる。
【００５２】
板紙の表面には、印刷、箔押し、艶出し、エンボス加工等、任意の装飾を施すことができる。
【符号の説明】
【００５３】
１・・・スライド式紙箱
１０・・・スリーブ
１０Ｂ・・・スリーブのブランク
１１・・・底面板
１２、１４・・・側面板
１３・・・天面板
１５・・・糊代
１６・・・係止片
１６ａ・・・補助係止片
１７、１８・・・切込
１７ａ・・・折れ目線
１９・・・開口用切込
ａ、ｂ、ｃ、ｄ・・・罫線
２０・・・中舟
２０Ｂ・・・中舟のブランク
２１・・・底面板
２２ａ、２２ｂ・・・側面板
２３ａ、２３ｂ・・・後壁用フラップ
２４ａ・・・前壁外壁
２４ｂ・・・後壁外壁
２５ａ・・・前壁天面
２５ｂ・・・後壁天面
２６ａ・・・前壁内壁
２６ｂ・・・後壁内壁
２７ａ、２７ｂ・・・糊代
２８ａ、２８ｂ・・・後壁天面用フラップ
２９ａ、２９ｂ・・・係止突起
３０ａ、３０ｂ・・・凸部
３１ａ、３１ｂ・・・係止突起
ｅ、ｆ、ｇ、ｈ、ｉ、ｊ、ｋ、ｌ、ｍ、ｎ、ｏ、ｐ、ｑ、ｒ・・・罫線
【図１】
2014136590.tif 000003
【図２】
2014136590.tif 000004
【図３】
2014136590.tif 000005
【図４】
2014136590.tif 000006
【図５】
2014136590.tif 000007
【図６】
2014136590.tif 000008
【図７】
2014136590.tif 000009
【図８】
2014136590.tif 000010
【図９】
2014136590.tif 000011
【図１０】
2014136590.tif 000012